(57)【要約】  【目的】  携帯電話１が画像データ受信装置40から所定の範囲内ＩＡに入った場合に画像データを送信する。  【構成】  画像データ受信装置40から所定範囲内ＩＡに電磁波が輻射される。携帯電話１が所定範囲内ＩＡに入ると，携帯電話１において電磁波が検出され，転送開始要求が画像データ受信装置40に送信される。すると，画像データ受信装置40から携帯電話１に転送開始応答が送信され，携帯電話１から画像データ受信装置40に赤外線を利用して画像データが送信される。携帯電話１が所定範囲内ＩＡから所定範囲外ＩＥに出ると画像データの送信が中断される。携帯電話１が所定範囲内ＩＡに再び入ると，未送信の画像データが携帯電話１から画像データ受信装置40に送信される。  【選択図】  図１
2006042104.tif 000002
【特許請求の範囲】
【請求項１】
画像データ送信装置と画像データ受信装置とを含む画像データ通信システムにおいて，
上記画像データ送信装置が，
画像データを記憶する画像データ記憶装置，および
上記画像データ送信装置が上記画像データ受信装置から所定範囲内に入ったことに応じて，上記画像データ受信装置に画像データの送信開始要求を送信する開始要求送信手段を備え，
上記画像データ受信装置が，
上記画像データ送信装置の上記開始要求送信手段から送信された送信開始要求を受信したことに応じて，上記画像データ送信装置に画像データの送信開始応答を送信する開始応答送信手段を備え，
上記画像データ送信装置が，
上記画像データ受信装置の上記開始応答送信手段から送信された送信開始応答を受信したことに応じて上記画像データ記憶装置に記憶されている画像データを上記画像データ受信装置に送信する第１の画像データ送信手段，および
上記画像データ送信装置が上記画像データ受信装置から所定範囲外に出たことに応じて，上記第１の画像データ送信手段による画像データの送信を停止する送信停止手段，
をさらに備えた画像データ通信システム。
【請求項２】
上記画像データ受信装置が，上記所定範囲内に存在する上記画像データ送信装置が受信可能な検出信号を出力する検出信号出力回路をさらに備え，
上記画像データ送信装置の上記開始要求送信手段が，
上記画像データ受信装置の上記検出信号出力回路から出力される検出信号を検出したことに応じて，上記画像データ受信装置に画像データの送信開始要求を送信するものである，
請求項１に記載の画像データ通信システム。
【請求項３】
上記画像データ送信装置が，
上記画像データ送信装置の上記送信停止手段による画像データの送信停止後に上記画像データ送信装置が上記所定範囲内に再び入ったことに応じて，上記送信停止手段による送信停止処理により生じる未送信の画像データを上記画像データ受信装置に送信する第２の画像データ送信手段，
をさらに備えた請求項１に記載の画像データ通信システム。
【請求項４】
上記画像データ送信装置が，
上記画像データ送信装置の上記第１の画像データ送信手段から送信された画像データの量を報知する送信データ量報知装置，
をさらに備えた請求項１に記載の画像データ通信システム。
【請求項５】
上記画像データ受信装置が，
上記画像データ送信装置の上記第１の画像データ送信手段から送信された画像データを受信したデータ量を表すデータを上記画像データ送信装置に送信する受信データ量送信手段をさらに備え，
上記画像データ送信装置の上記送信データ量報知装置が，
上記画像データ受信装置の上記受信データ量送信手段から送信された受信データ量データにもとづいて，上記画像データ送信装置の上記第１の画像データ送信手段から送信された画像データの量を報知するものである，
請求項１に記載の画像データ通信システム。
【請求項６】
上記画像データ送信装置が，
上記画像データ送信装置から上記画像データ受信装置への画像データの送信が完了したかどうかを判定する送信完了判定手段，および
上記送信完了判定手段により送信完了と判定されたことに応じて，送信完了を報知する送信完了報知装置，
をさらに備えた請求項１に記載の画像データ通信システム。
【請求項７】
画像データを記憶する画像データ記憶装置，
上記画像データ送信装置が上記画像データ受信装置から所定範囲内に入ったことに応じて，上記画像データ受信装置に画像データの送信開始要求を送信する開始要求送信手段，
上記開始要求送信手段から送信された送信開始要求を画像データ受信装置が受信したことに応じて上記画像データ受信装置から送信される画像データの送信開始応答を受信したことに応答して，上記画像データ記憶装置に記憶されている画像データを上記画像データ受信装置に送信する画像データ送信手段，および
上記画像データ送信装置が上記画像データ受信装置から所定範囲外に出たことに応じて，上記画像データ送信手段による画像データの送信を停止する送信停止手段，
を備えた画像データ送信装置。
【請求項８】
画像データ送信装置が，画像データ受信装置から所定範囲内に入ったことに応じて，上記画像データ受信装置に送信される画像データの送信開始要求を受信する送信開始要求受信手段，
上記送信開始要求受信手段によって送信開始要求を受信したことに応じて，上記画像データ送信装置に画像データの送信開始応答を送信する開始応答送信手段，
上記開始応答送信手段から送信された送信開始要求が上記画像データ送信装置において受信されたことに応じて上記画像データ送信装置から送信される画像データを受信する画像データ受信手段，および
上記画像データ受信手段によって受信した画像データを記憶する画像データ記憶装置，
を備えた画像データ受信装置。
【請求項９】
画像データ仲介装置と画像データ保管装置とを含む画像データ通信システムにおいて，
上記画像データ仲介装置が，
画像データ送信装置が上記画像データ仲介装置から所定範囲内に入ったことに応じて，上記画像データ送信装置から送信される画像データの送信開始要求を受信する送信開始要求受信手段，
上記送信開始要求受信手段によって送信開始要求を受信したことに応じて上記画像データ送信装置に画像データの送信開始応答を送信する開始応答送信手段，
上記開始応答送信手段から送信された送信開始応答が上記画像データ送信装置において受信されたことに応じて上記画像データ送信装置から送信され，かつ画像識別データが関連付けられている画像データを受信する画像データ受信手段，および
上記画像データ保管装置に受信した画像データを送信する画像データ送信手段を備え，
上記画像データ保管装置が，
上記画像データ仲介装置の上記画像データ送信手段から送信された画像データを受信する画像データ受信手段，および
上記画像データ受信手段によって受信した画像データに関連付けられている画像識別データごとに，受信した画像データを記憶するように画像データ記憶装置を制御する画像データ記憶制御装置，
を備えた画像通信システム。
【請求項１０】
画像データ送信装置が画像データ仲介装置から所定範囲内に入ったことに応じて，上記画像データ送信装置から送信される画像データの送信開始要求を受信する送信開始要求受信手段，
上記送信開始要求受信手段によって送信開始要求を受信したことに応じて上記画像データ送信装置に画像データの送信開始応答を送信する開始応答送信手段，
上記開始応答送信手段から送信された送信開始応答が上記画像データ送信装置において受信されたことに応じて上記画像データ送信装置から送信され，かつ送信先識別データ，および画像識別データが関連付けられている画像データを受信する画像データ受信手段，ならびに
受信した画像データに関連付けられている送信先識別データにもとづいて決定される送信先の画像保管装置に受信した画像データを送信する画像データ送信手段，
を備えた画像データ仲介装置。
【請求項１１】
送信速度の異なる複数の送信方法によって画像データを送信可能な画像データ送信手段，
画像データ受信装置から送信される受信可能な速度を表すデータを受信する受信速度データ受信手段，
上記受信速度データ受信手段によって受信された受信速度データにもとづいて，上記画像データ送信手段によって送信可能な複数の送信方法のうちいずれか一つの送信方法を決定する送信方法決定手段，および
上記送信方法決定手段により決定された送信方法を用いて画像データを上記画像データ受信装置に送信するように，上記画像データ送信手段を制御する送信制御手段，
を備えた画像データ送信装置。
【請求項１２】
画像データ送信装置が画像データ受信装置から所定範囲内に入ったことに応じて，上記画像データ受信装置に画像データの送信開始要求を送信し，
送信された送信開始要求を画像データ受信装置が受信したことに応じて上記画像データ受信装置から送信される画像データの送信開始応答を受信したことに応答して，画像データを上記画像データ受信装置に送信し，
上記画像データ送信装置が上記画像データ受信装置から所定範囲外に出たことに応じて，画像データの送信を停止する，
画像データ送信装置の制御方法。
【請求項１３】
画像データ送信装置が，画像データ受信装置から所定範囲内に入ったことに応じて，上記画像データ受信装置に送信される画像データの送信開始要求を受信し，
送信開始要求を受信したことに応じて，上記画像データ送信装置に画像データの送信開始応答を送信し，
送信された送信開始要求が上記画像データ送信装置において受信されたことに応じて上記画像データ送信装置から送信される画像データを受信し，
受信した画像データを記憶する，
画像データ受信装置の制御方法。
【請求項１４】
画像データ送信装置が画像データ仲介装置から所定範囲内に入ったことに応じて，上記画像データ送信装置から送信される画像データの送信開始要求を受信し，
送信開始要求を受信したことに応じて上記画像データ送信装置に画像データの送信開始応答を送信し，
送信された送信開始応答が上記画像データ送信装置において受信されたことに応じて上記画像データ送信装置から送信され，かつ画像識別データが関連付けられている画像データを受信し，
画像データ保管装置に受信した画像データを送信する，
画像データ仲介装置の制御方法。
【請求項１５】
送信速度の異なる複数の送信方法によって画像データを送信可能であり，
画像データ受信装置から送信される受信可能な速度を表すデータを受信し，
受信された受信速度データにもとづいて，送信可能な複数の送信方法のうちいずれか一つの送信方法を決定し，
決定された送信方法を用いて画像データを上記画像データ受信装置に送信する，
画像データ送信装置の制御方法。
【発明の詳細な説明】
【技術分野】
【０００１】
この発明は，画像データ通信システムならびに画像データ送信装置，画像データ受信装置，画像データ仲介装置およびそれらの制御方法に関する。
【背景技術】
【０００２】
ディジタル・スチル・カメラを用いて被写体を撮像することにより，被写体像を表す画像データは記録媒体に記録される。記録媒体に記録された画像データを他の記録装置に記録する場合には，ディジタル・スチル・カメラから他の記録装置に画像データが送信される。画像データの送信を，画像送信に適したタイミングで行うものもある（特許文献１）。
【特許文献１】特開2002−10188号公報
【０００３】
また，非接触ＩＣタグを利用して無線通信を開始するものもある（特許文献２）。
【特許文献２】特開2003−87263号公報
【発明の開示】
【０００４】
この発明は，画像データ送信装置と画像データ受信装置との間の距離に応じて画像データの送受信を制御することを目的とする。
【０００５】
第１の発明は，画像データ送信装置と画像データ受信装置とを含む画像データ通信システムについてのものである。
【０００６】
上記画像データ送信装置は，画像データを記憶する画像データ記憶装置，および上記画像データ送信装置が上記画像データ受信装置から所定範囲内に入ったことに応じて，上記画像データ受信装置に画像データの送信開始要求を送信する開始要求送信手段を備えている。
【０００７】
上記画像データ受信装置は，上記画像データ送信装置の上記開始要求送信手段から送信された送信開始要求を受信したことに応じて，上記画像データ送信装置に画像データの送信開始応答を送信する開始応答送信手段を備えている。
【０００８】
上記画像データ送信装置は，上記画像データ受信装置の上記開始応答送信手段から送信された送信開始応答を受信したことに応じて上記画像データ記憶装置に記憶されている画像データを上記画像データ受信装置に送信する第１の画像データ送信手段，および上記画像データ送信装置が上記画像データ受信装置から所定範囲外に出たことに応じて，上記第１の画像データ送信手段による画像データの送信を停止する送信停止手段をさらに備えている。
【０００９】
上記画像データ通信システムを構成する画像データ送信装置および画像データ受信装置をそれぞれ単独で構成してもよい。
【００１０】
第１の発明は，上記画像データ送信装置の制御方法も提供している。すなわち，この方法は，画像データ送信装置が画像データ受信装置から所定範囲内に入ったことに応じて，上記画像データ受信装置に画像データの送信開始要求を送信し，送信された送信開始要求を画像データ受信装置が受信したことに応じて上記画像データ受信装置から送信される画像データの送信開始応答を受信したことに応答して，画像データを上記画像データ受信装置に送信し，上記画像データ送信装置が上記画像データ受信装置から所定範囲外に出たことに応じて，画像データの送信を停止するものである。
【００１１】
第１の発明は，上記画像データ受信装置の制御方法も提供している。すなわち，この方法は，画像データ送信装置が，画像データ受信装置から所定範囲内に入ったことに応じて，上記画像データ受信装置に送信される画像データの送信開始要求を受信し，送信開始要求を受信したことに応じて，上記画像データ送信装置に画像データの送信開始応答を送信し，送信された送信開始要求が上記画像データ送信装置において受信されたことに応じて上記画像データ送信装置から送信される画像データを受信し，受信した画像データを記憶するものである。
【００１２】
第１の発明によると，画像データ送信装置が画像データ受信装置から所定範囲内に入ると，画像データ送信装置から画像データ受信装置に画像データの送信開始要求が送信される。画像データ送信装置から送信された送信開始要求が画像データ受信装置において受信されると，画像データ受信装置から画像データ送信装置に画像データの送信開始応答が送信される。画像データ受信装置から送信された画像データの送信開始応答が画像データ送信装置において受信されると，画像データ送信装置から画像データ受信装置に画像データが送信される。画像データ送信装置が画像データ受信装置から所定範囲外に出ると画像データの送信が停止される。画像データ送信装置を画像データ受信装置に近づけたり遠ざけたりするだけで画像データの送信およびその停止を制御できる。
【００１３】
上記画像データ受信装置が，上記所定範囲内に存在する上記画像データ送信装置が受信可能な検出信号を出力する検出信号出力回路をさらに備えるようにしてもよい。この場合，上記画像データ送信装置の上記開始要求送信手段は，上記画像データ受信装置の上記検出信号出力回路から出力される検出信号を検出したことに応じて，上記画像データ受信装置に画像データの送信開始要求を送信するものとなろう。
【００１４】
上記画像データ送信装置は，上記画像データ送信装置の上記送信停止手段による画像データの送信停止後に上記画像データ送信装置が上記所定範囲内に再び入ったことに応じて，上記送信停止手段による送信停止処理により生じる未送信の画像データを上記画像データ受信装置に送信する第２の画像データ送信手段をさらに備えることが好ましい。未送信の画像データを送信すればよいので効率のよい送信を実現できる。
【００１５】
上記画像データ送信装置は，上記画像データ送信装置の上記第１の画像データ送信手段から送信された画像データの量を報知する送信データ量報知装置をさらに備えるようにしてもよい。送信された画像データの量を把握できる。
【００１６】
上記画像データ受信装置は，上記画像データ送信装置の上記第１の画像データ送信手段から送信された画像データを受信したデータ量を表すデータを上記画像データ送信装置に送信する受信データ量送信手段をさらに備えてもよい。この場合，上記画像データ送信装置の上記送信データ量報知装置は，上記画像データ受信装置の上記受信データ量送信手段から送信された受信データ量データにもとづいて，上記画像データ送信装置の上記第１の画像データ送信手段から送信された画像データの量を報知するものとなろう。
【００１７】
上記画像データ送信装置は，上記画像データ送信装置から上記画像データ受信装置への画像データの送信が完了したかどうかを判定する送信完了判定手段，および上記送信完了判定手段により送信完了と判定されたことに応じて，送信完了を報知する送信完了報知装置をさらに備えてもよい。
【００１８】
第２の発明は，画像データ仲介装置と画像データ保管装置とを含む画像データ通信システムについてのものである。
【００１９】
上記画像データ仲介装置は，画像データ送信装置が上記画像データ仲介装置から所定範囲内に入ったことに応じて，上記画像データ送信装置から送信される画像データの送信開始要求を受信する送信開始要求受信手段，上記送信開始要求受信手段によって送信開始要求を受信したことに応じて上記画像データ送信装置に画像データの送信開始応答を送信する開始応答送信手段，上記開始応答送信手段から送信された送信開始応答が上記画像データ送信装置において受信されたことに応じて上記画像データ送信装置から送信され，かつ画像識別データが関連付けられている画像データを受信する画像データ受信手段，および上記画像データ保管装置に受信した画像データを送信する画像データ送信手段を備えている。
【００２０】
上記画像データ保管装置は，上記画像データ仲介装置の上記画像データ送信手段から送信された画像データを受信する画像データ受信手段，および上記画像データ受信手段によって受信した画像データに関連付けられている画像識別データごとに，受信した画像データを記憶するように画像データ記憶装置を制御する画像データ記憶制御装置を備えている。
【００２１】
第２の発明を構成する画像データ仲介装置を単独で構成してもよい。
【００２２】
また，第２の発明は，上記画像データ仲介装置を制御する方法も提供している。すなわち，この方法は，画像データ送信装置が画像データ仲介装置から所定範囲内に入ったことに応じて，上記画像データ送信装置から送信される画像データの送信開始要求を受信し，送信開始要求を受信したことに応じて上記画像データ送信装置に画像データの送信開始応答を送信し，送信された送信開始応答が上記画像データ送信装置において受信されたことに応じて上記画像データ送信装置から送信され，かつ送信先識別データが関連付けられている画像データを受信し，画像データ保管装置に受信した画像データを送信するものである。
【００２３】
第２の発明によると，画像データ送信装置が画像データ仲介装置から所定範囲内に入ると，画像データ送信装置から画像データ仲介装置に画像データの送信開始要求が送信される。送信開始要求が画像データ仲介装置において受信されると，送信開始応答が画像データ仲介装置から画像データ送信装置に送信される。画像データ送信装置において送信開始応答が受信されると，送信先識別データおよび画像識別データが関連づけられている画像データが画像データ送信装置から画像データ仲介装置に送信される。
【００２４】
画像データ仲介装置において，画像データが受信されると，画像データ保管装置に，受信した画像データが送信される。画像データ仲介装置から送信された画像データが画像データ保管装置において受信されると，画像データに関連づけられている画像識別データごとに，受信した画像データが画像データ記憶装置に記憶される。複数の画像データ仲介装置があっても所定の画像データ保管装置に画像データを記憶させることができる。
【００２５】
第３の発明による画像データ送信装置は，送信速度の異なる複数の送信方法によって画像データを送信可能な画像データ送信手段，画像データ受信装置から送信される受信可能な速度を表すデータを受信する受信速度データ受信手段，上記受信速度データ受信手段によって受信された受信速度データにもとづいて，上記画像データ送信手段によって送信可能な複数の送信方法のうちいずれか一つの送信方法を決定する送信方法決定手段，および上記送信方法決定手段により決定された送信方法を用いて画像データを上記画像データ受信装置に送信するように，上記画像データ送信手段を制御する送信制御手段を備えていることを特徴とする。
【００２６】
第３の発明によると，送信速度の異なる複数の送信方法によって画像データを送信することが可能である。画像データ受信装置から画像データ送信装置に，画像データ受信装置において受信可能な速度を表すデータが送信される。受信可能速度データが画像データ送信装置において受信されることにより，受信可能速度データにもとづいて，送信可能な複数の送信方法のうちいずれか一つの送信方法が決定される。決定された送信方法を用いて画像データ送信装置から画像データ受信装置に画像データが送信される。画像データ受信装置の機能に応じて最適な方法で画像データが送信される。
【実施例】
【００２７】
図１は，この発明の実施例を示すもので，画像通信システムの概要を示している。
【００２８】
画像通信システムには，ディジタル・カメラ付き携帯電話（画像データ送信装置）１と画像データ受信装置40とが含まれている。これらのディジタル・カメラ付き携帯電話１と画像データ受信装置40とは赤外線を用いたデータ通信と電磁波を受信することにより発生する誘起電力にもとづいて行われるデータ通信（非接触データ通信ということにする。）とが可能である。
【００２９】
この実施例による画像通信システムにおいては，画像データ受信装置40から電磁波が輻射されている。電磁波の輻射範囲内ＩＡにディジタル・カメラ付き携帯電話１が入ると，ディジタル・カメラ付き携帯電話１から画像データ受信装置40に画像データが送信される。電磁波の輻射範囲内ＩＡから輻射範囲外ＥＡにディジタル・カメラ付き携帯電話１が出るとディジタル・カメラ付き携帯電話１から画像データ受信装置40への画像データの送信が停止する。ディジタル・カメラ付き携帯電話１が輻射範囲外ＥＡから再び輻射範囲内ＩＡに入った場合に，１駒分の画像データ（または送信すべき複数駒分の画像データ）のうち未送信の画像データがあった場合にはその残りの画像データが画像データ受信装置40に送信される。もっとも，未送信の画像データを送信せずに最初から画像データを送信しなおしてもよいのはいうまでもない。
【００３０】
図２は，ディジタル・カメラ付き携帯電話１の電気的構成を示すブロック図である。
【００３１】
携帯電話１の全体の動作は，ＣＰＵ４によって統括される。
【００３２】
上述したように，画像データ受信装置40との間で赤外線通信を行うために，携帯電話１には赤外線通信ディバイス７および赤外線通信インターフェイス８が含まれている。また，画像データ受信装置40から輻射される電磁波を検出し，非接触データ通信を行うために，非接触ＩＣ通信ディバイス９および非接触ＩＣ通信インターフェイス10が携帯電話１に含まれている。
【００３３】
携帯電話１には，ストロボ撮影が可能なようにストロボ発光装置12およびストロボ制御装置11が含まれている。また，携帯電話１には，インプット／アウトプット・ユニット15を介してスイッチ／ＬＥＤ（発光ダイオード）等16が含まれている。さらに，他の携帯電話等と通話するための携帯電話通信装置18および携帯電話通信インターフェイス17が携帯電話１に含まれている。
【００３４】
スイッチ／ＬＥＤ等16によりカメラ・モードに設定されると，撮像素子２によって被写体が撮像され，被写体像を表す画像データが得られる。画像データが信号処理回路３において所定の信号処理が行われる。信号処理回路３から出力される画像データが液晶表示装置５に与えられることにより，被写体像が液晶表示装置５の表示画面上に表示される。スイッチ／ＬＥＤ等16のうち，シャッタ機能が割り当てられたスイッチが押されることにより，撮像によって得られた画像データがメモリ６に与えられ，一時的に記憶される。画像データはメモリ６から読み取られ，メモリ・カード・インターフェイス13を介してメモリ・カード14に与えられ，記録される。
【００３５】
詳しくは，後述するように，画像データ受信装置40から輻射される電磁波が非接触ＩＣ通信ディバイス９によって検出されることに応じて，メモリ・カード14に記録されている画像データが読み取られ，赤外線通信ディバイス７によって携帯電話１から画像データ受信装置40に送信される。
【００３６】
図３は，携帯電話１に含まれる非接触ＩＣ通信ディバイス９の電気的構成を示すブロック図である。
【００３７】
非接触ＩＣ通信ディバイス９にもＣＰＵ31が含まれており，全体の動作が統括される。
【００３８】
非接触ＩＣ通信ディバイス９には，非接触ＩＣ通信ディバイス９の制御プログラムが格納されているＲＯＭ32，データを一時的に記憶するＲＡＭ34および所定のデータが格納されているEEPROM35が含まれている。
【００３９】
また，非接触ＩＣ通信ディバイス９には，コンデンサ22を介してアンテナ21に接続されているインターフェイス23が含まれている。このインターフェイス23には，電圧レギュレータ，ＡＳＫ（Amplitude Shift Keying）変調回路，ＡＳＫ復調回路，発信回路など（図示略）が内蔵されている。
【００４０】
画像データ受信装置40の非接触ＩＣカード・リーダ・ライタ45から輻射される電磁波がアンテナ21によって検出されると，交流磁界が励起され，この交流磁界にもとづいて直流電源が生成される。生成された直流電源にもとづいて非接触データ通信が行われる。アンテナ21によって変調波が受信されると，その変調波がインターフェイス23に内蔵されているＡＳＫ復調回路により復調される。復調されたデータがＢＰＳＫ（Binary Phase Shift Keying）復調回路28においてＢＰＳＫ復調され，データ受信回路30を介してＣＰＵ31に入力する。ＣＰＵ31において入力したデータが解析される。
【００４１】
携帯電話１から画像データ受信装置40に電磁波を用いて送信すべきデータがある場合には，そのデータがデータ送信回路29を介してＢＰＳＫ変調回路27に入力する。送信すべきデータは，ＢＰＳＫ変調回路27を介してインターフェイス23に内蔵されているＡＳＫ変調回路に与えられ変調される。変調されたデータがアンテナ21から画像データ受信装置40に送信される。
【００４２】
図４は，画像データ受信装置40の電気的構成を示すブロック図である。
【００４３】
画像データ受信装置40の全体の動作は，ＣＰＵ41によって統括される。
【００４４】
画像データ受信装置40には，上述したように，携帯電話１との間で赤外線通信を行うために赤外線通信ディバイス43および赤外線通信インターフェイス44とが含まれている。また，画像データ受信装置40には，上述したように電磁波を輻射し，非接触データ通信を行うための非接触ＩＣディバイス・リーダ・ライタ45および非接触ＩＣ通信インターフェイス46が含まれている。さらに，画像データ受信装置40には，スイッチ／ＬＥＤ等50がインプット／アウトプット・ユニット49を介して接続されている。
【００４５】
携帯電話１から赤外線通信によって送信される画像データは，赤外線通信ディバイス43によって受信され，赤外線通信インターフェイス44を介してメモリ42に与えられ，一時的に記憶される。画像データは，メモリ42から読み取られ，ディスク・インターフェイス47によってハードディスク48に記録される。
【００４６】
図５は，画像データ受信装置40に含まれている非接触ＩＣディバイス・リーダ・ライタ45の電気的構成を示すブロック図である。
【００４７】
非接触ＩＣディバイス・リーダ・ライタ45にもＣＰＵ66が含まれており，その全体の動作が統括される。
【００４８】
非接触ＩＣリーダ・ライタ45にはＲＯＭ69およびＲＡＭ70を含むメモリ68が内蔵されている。ＲＯＭ69には，非接触ＩＣリーダ・ライタ45の制御プログラムが格納されている。ＲＡＭ70には，所定のデータが記憶される。
【００４９】
携帯電話１に送信すべきデータは，ＳＣＣ（Serial Communication Controller）67および信号処理回路65を介して変調回路63に与えられる。変調回路63には，発信回路62から所定の周波数をもつ搬送波が与えられており，この搬送波が信号処理回路65から与えられるデータによってＡＳＫ変調される。生成された変調波が電磁波としてアンテナ61から出力される。
【００５０】
アンテナ61からは電磁波が輻射され，電磁波の輻射に対する負荷の変化にもとづいて，画像データ受信装置40から所定の範囲内ＩＡに携帯電話１が入ったかどうかが検出される。
【００５１】
また，携帯電話１から送信されたデータがアンテナ61によって受信されると，復調回路64によって復調され，信号処理回路65に入力する。信号処理回路65において，ＢＰＳＫ復調などが行われる。信号処理回路65から出力されたデータがＣＰＵ66に与えられ，データが解析される。
【００５２】
図６は，画像データ受信装置40とディジタル・カメラ付き携帯電話１との間におけるデータ通信の処理手順を示すフローチャートである。図７は，画像データ受信装置40とカメラ付き携帯電話１との間で通信されるデータの一例を示している。
【００５３】
画像データ受信装置40と携帯電話１との間のデータ通信においては，上述したように赤外線通信ディバイス７，43などを用いた赤外線通信と非接触ＩＣ通信ディバイス９，非接触ＩＣディバイス・リーダ・ライタ45などを用いた通信とが行われる。画像データの通信は，赤外線通信が利用され，画像データを除くデータの通信には非接触ＩＣ通信ディバイス９などによる通信が利用される。
【００５４】
画像データ受信装置40の非接触ＩＣディバイス・リーダ・ライタ45からは，電磁波が輻射されている。また，画像データ受信装置40と携帯電話１との間の赤外線通信を行うためのコネクションが確立される。
【００５５】
携帯電話１が画像データ受信装置40から所定の範囲内ＩＡに入ると，画像データ受信装置40から輻射されている電磁波が携帯電話１の非接触ＩＣ通信ディバイス９によって検出される。すると，携帯電話１の非接触ＩＣ通信ディバイス９から画像データ受信装置40の非接触ＩＣディバイス・リーダ・ライタ45に転送開始要求データが送信される（時刻ｔ１）。転送開始要求データには，転送開始指令を示すデータのほかに携帯電話１から画像データ受信装置40に送信すべき画像データを識別するためのデータＩＤ（画像識別データ），その画像データのデータ・サイズ（データ量）が含まれる。
【００５６】
携帯電話１の非接触通信ディバイス９から送信された転送開始要求データが画像データ受信装置40の非接触ＩＣディバイス・リーダ・ライタ45において受信されると（時刻ｔ２），画像データ受信装置40において，一連の画像データの通信処理を識別するためにジョブＩＤが付与される。また，携帯電話１から送信された画像データのデータ量を示す転送済みサイズも画像データ受信装置40において，受信した画像データの量に応じて生成される。画像データ受信装置40において，ジョブＩＤごとにデータＩＤ，データ・サイズおよび転送済サイズが記憶される。
【００５７】
画像データ受信装置40の非接触ＩＣディバイス・リーダ・ライタ45から携帯電話１の非接触通信ディバイス９に転送開始応答データが送信される（時刻ｔ３）。この転送開始応答データには，転送開始要求データに応答して送信したことを示すデータのほかにデータＩＤ，ジョブＩＤおよび転送済サイズをそれぞれ表すデータも含まれている。
【００５８】
画像データ受信装置40の非接触ＩＣディバイス・リーダ・ライタ45から送信された転送開始応答データが携帯電話１の非接触ＩＣ通信ディバイス９において受信されると（時刻ｔ４），受信した転送開始応答データに含まれるジョブＩＤおよび転送済サイズがデータＩＤごとに記憶される。また，受信した転送済サイズに応じて，携帯電話１の液晶表示装置５の表示画面に転送済サイズを携帯電話１のユーザに知らせるためのデータ転送進行状況が表示される。
【００５９】
図８は，携帯電話１の液晶表示装置５の表示画面80に表示されるデータ転送進行状況の一例である。
【００６０】
データ転送進行状況画像にはデータ転送状況を示すグラフ81が含まれている。このグラフ81には多数の正方形82，83が含まれている。これらの正方形82，83は，画像データ受信装置40が受信した画像データの量に応じて白色83から黒色82に変化する。黒色の正方形82の数により，画像データ受信装置40に送信された画像データの量を携帯電話１のユーザが把握できる。
【００６１】
図６にもどって，画像データ受信装置40の非接触ＩＣディバイス・リーダ・ライタ45から送信された転送開始応答データが携帯電話１の非接触ＩＣ通信ディバイス９において受信されると，携帯電話１の赤外線通信ディバイス７から画像データ受信装置40の赤外線通信ディバイス43に画像データが順次送信される。画像データ受信装置40において画像データが受信されると，適宜（時刻ｔ５），画像データ受信装置40の非接触ＩＣディバイス・リーダ・ライタ45から携帯電話１の非接触ＩＣ通信ディバイス９に転送済サイズ通知データが送信される。この転送済サイズ通知データには画像データ受信装置40において受信された画像データのデータ量がデータＩＤおよびジョブＩＤとともに携帯電話１の非接触ＩＣ通信ディバイス９に送信される。
【００６２】
携帯電話１の非接触ＩＣ通信ディバイス９において転送済サイズ通知データが受信されることに応じて（時刻ｔ６），携帯電話１において記憶されている転送済サイズが更新される。転送済みサイズの更新に応じて，携帯電話１の表示画面80に表示されるデータ転送進行状況も更新される。
【００６３】
画像データ受信装置40において記憶されるデータ・サイズと転送済サイズとが一致すると，データ・サイズと転送済みサイズ携帯電話１から送信すべき画像データがすべて画像データ受信装置40において受信されたこととなる（時刻ｔ９）。送信完了の旨が携帯電話１の表示画面80に表示される（時刻ｔ10）。
【００６４】
図９は，他の実施例を示すもので，画像データ受信装置40と携帯電話１との間の処理手順を示し，図10は，画像データ受信装置40と携帯電話１との間で通信されるデータの一例である。図９および図10に示す処理においては，携帯電話10が所定範囲内ＩＡに入ることにより，画像データの送信が開始され，携帯電話10が所定範囲ＩＡから所定範囲外ＩＥに出て画像データの送信が停止され，携帯電話10が再び所定範囲ＩＡに入ることにより画像データの送信が再開されるものである。
【００６５】
上述したように，画像データ受信装置40の非接触ＩＣディバイス・リーダ・ライタ45から電磁波が輻射され，所定範囲ＩＡ内にディジタル・カメラ付き携帯電話１が入ったことが検出されると，時刻ｔ11において携帯電話１の非接触ＩＣ通信ディバイス９から画像データ受信装置40の非接触ＩＣディバイス・リーダ・ライタ45に転送開始要求が送信される。
【００６６】
時刻ｔ12において，転送開始要求が受信されると，時刻ｔ13において画像データ受信装置40の非接触ＩＣディバイス・リーダ・ライタ45から携帯電話１の非接触ＩＣ通信ディバイス９に転送開始応答が送信される。時刻ｔ14において，転送開始応答が受信されると，上述したように，携帯電話１の表示画面80に転送済サイズが表示される（図８参照）。その後，時刻ｔ15となると赤外線通信を利用して携帯電話１から画像データ受信装置40に画像データが送信される。
【００６７】
画像データ受信装置40において画像データが受信されていると，適宜，画像データ受信装置40の非接触ＩＣディバイス・リーダ・ライタ45から携帯電話１の非接触ＩＣ通信ディバイス９に転送済サイズが通知される。携帯電話１のユーザは，画像データの送信状況を把握できる。
【００６８】
携帯電話１が所定範囲内ＩＡから所定範囲外ＩＥに出されると，携帯電話１の非接触ＩＣ通信ディバイス９において，画像データ受信装置40の非接触ＩＣディバイス・リーダ・ライタ45からの電磁波の輻射を検出できないため時刻ｔ18において電力励起が停止する。すると，時刻ｔ19において携帯電話１から画像データ受信装置40への画像データへの送信が停止する。ジョブＩＤが「３」の画像データ送信処理において，「データＩＤが「25」の画像データが転送済サイズ「256」で停止したものとする。
【００６９】
携帯電話１からの画像データの送信が停止され，時刻ｔ20において画像データ受信装置40における画像データの受信がタイムアウトとなる。画像データ受信装置40と携帯電話１との間の赤外線コネクションが切断される。
【００７０】
その後も画像データ受信装置40の非接触ＩＣディバイス・リーダ・ライタ45から電磁波が輻射され（時刻ｔ21），携帯電話１において電磁波が検出されると，転送開始要求が画像データ受信装置40に送信される（時刻ｔ22）。転送開始要求が画像データ受信装置40において受信される（時刻ｔ23）。画像データ受信装置40から携帯電話１に転送開始応答が送信される（時刻ｔ24，ｔ25）。また，画像データ受信装置40と携帯電話１との間で赤外線コネクションが再び確立する。データＩＤ「３」の画像データの送信は，転送済サイズ「256」 で停止しているから，その残りの画像データから再び携帯電話１から画像データ受信装置40に送信が再開される（時刻ｔ26）。
【００７１】
携帯電話１から画像データ受信装置40への画像データの送信中において適宜，転送済サイズが通知される（時刻ｔ27，ｔ28）。
【００７２】
画像データ受信装置40においてデータＩＤ「25」の画像データについてすべて受信が終了すると（ｔ29），転送済サイズが画像データ受信装置40から携帯電話１に送信される（時刻ｔ30）。
【００７３】
画像データの送信途中で携帯電話１が所定範囲内ＩＡから所定範囲外ＩＥに出た場合に，すでに画像データ受信装置40に送信した画像データを最初から画像データ受信装置40に送信することなく残りの画像データを送信するので，効率良い画像データ送信処理を実現できる。
【００７４】
図11から図14は，他の実施例を示すものである。
【００７５】
図11は，画像通信システムの概要を示している。
【００７６】
この実施例による画像通信システムにおいては，上述したように互いに通信可能なディジタル・カメラ付き携帯電話１と複数の画像データ受信装置（一台でもよい）90とのほかに，複数の画像データ受信装置90とネットワークを介して互いに通信可能な画像データ保管装置100が含まれている。
【００７７】
携帯電話１から送信される画像データは，画像データ受信装置90において受信される。画像データ受信装置90において受信された画像データがネットワークを介して画像データ保管装置100に送信され，保管される。上述したように画像データの送信途中において携帯電話１が一の画像データ受信装置90を基準として定められる所定範囲内から所定範囲外に出たときに，その携帯電話１が再び所定範囲内に入ることにより未送信の画像データが再びその一の画像データ受信装置90に送信される。また，その一の画像データ受信装置90以外の他の画像データ受信装置90に携帯電話１から未送信の画像データの送信を再開することもできる。いずれにしても携帯電話１から画像データ受信装置90に送信された画像データは，画像データ保管装置100に送信され，保管される。
【００７８】
図12は，画像データ仲介装置90の電気的構成を示すブロック図である。
【００７９】
画像データ仲介装置90の全体の動作は，ＣＰＵ91によって統括される。
【００８０】
画像データ仲介装置90は，上述した画像データ受信装置40と比較してハードディスクおよびディスク・インターフェイスが設けられていない。もちろん，ハードディスクおよびディスク・インターフェイスが設けられていてもよいのはいうまでもない。
【００８１】
画像データ仲介装置90には，上述した画像データ受信装置40と同様に，メモリ92，赤外線通信ディバイス93，赤外線通信インターフェイス94，非接触ＩＣディバイス・リーダ・ライタ95，非接触ＩＣ通信インターフェイス96，スイッチ／ＬＥＤ等98およびインプット・アウトプット・ユニット97が設けられている。また，画像データ仲介装置90には，ネットワークに接続するためのネットワーク・インターフェイス99も設けられている。
【００８２】
図13は，画像データ保管装置100の電気的構成を示すブロック図である。
【００８３】
画像データ保管装置100の全体の動作は，ＣＰＵ101によって統括される。
【００８４】
画像データ保管装置100には，データを一時的に記憶するメモリ102およびネットワークに接続するためのネットワーク・インターフェイス103が含まれている。また，画像データ保管装置100には，画像データを記録するハードディスク105，ディスク・インターフェイス104，スイッチ／ＬＥＤ等107およびインプット／アウトプット・ユニット106が設けられている。
【００８５】
図14は，ディジタル・カメラ付き携帯電話１，画像データ仲介装置90および画像データ保管装置100の処理手順を示すフローチャートである。
【００８６】
上述したのと同様に，画像データ仲介装置90の非接触ＩＣディバイス・リーダ・ライタ95から電磁波が輻射され，その電磁波が携帯電話１において検出されると，携帯電話１から画像データ仲介装置90の非接触ＩＣディバイス・リーダ・ライタ95に転送開始要求が送信される（時刻ｔ41）。非接触ＩＣディバイス・リーダ・ライタ95において転送開始要求が受信されると（時刻ｔ42），ネットワーク・インターフェイス99を介して画像データ仲介装置90から画像データ保管装置100にその転送開始要求が送信される。画像データ仲介装置90と画像データ保管装置100との間ではＴＣＰ（transmission control protocol）／ＩＰ（internet protocol）などにもとづいて送受信が一義に定められるのはいうまでもない。
【００８７】
画像データ保管装置100において，転送開始要求が受信されると（時刻ｔ43），転送開始応答が画像データ保管装置100のネットワーク・インターフェイス103を介して画像データ仲介装置90に送信される。すると，画像データ仲介装置90の非接触ＩＣディバイス・リーダ・ライタ95によって転送開始応答が携帯電話１の非接触ＩＣディバイスに送信される。転送開始応答が携帯電話１の非接触ＩＣディバイスにおいて受信されると（時刻ｔ46），赤外線を利用して携帯電話１から画像データ仲介装置90に画像データが順次送信される（時刻ｔ47）。画像データには，送信先である画像データ保管装置100のアドレスが付与されているのはいうまでもない。
【００８８】
携帯電話１から送信された画像データが画像データ仲介装置90において受信されると（時刻ｔ48），その受信した画像データはネットワークを介して画像データ仲介装置90から画像データ保管装置100に送信される（時刻ｔ49）。画像データ仲介装置90から送信された画像データが画像データ保管装置100において受信されることにより（時刻ｔ50），受信した画像データが順次ハードディスク105に，ジョブＩＤおよびデータＩＤごとに記録されていく。また，データ・サイズも記録され，かつ受信したデータ量に応じて転送済サイズも更新されるのはいうまでもない。
【００８９】
また，画像データの受信に応じて適宜画像データ保管装置100から画像データ仲介装置90に転送済サイズがネットワークを介して送信される（時刻ｔ51）。転送済サイズは，画像データ仲介装置90の非接触ＩＣディバイス・リーダ・ライタ95から携帯電話１の非接触ＩＣディバイスに送信される（時刻ｔ52）。転送済サイズが携帯電話１において受信されることにより，携帯電話１の表示画面に転送状況が表示される（時刻ｔ53）。
【００９０】
データＩＤで識別される一例の画像データのすべてが画像データ保管装置100において受信されると，全データ受信完了を示すデータがネットワークを介して画像データ保管装置100から画像データ中下位装置90に送信される。全データ受信完了を示すデータは，画像データ仲介装置90の非接触ＩＣディバイス・リーダ・ライタ95から携帯電話１の非接触ＩＣ通信ディバイスに送信される（時刻ｔ54）。携帯電話１において送信終了が表示される（時刻ｔ55）。
【００９１】
画像データ保管装置100に画像データが送信され，かつ記録される場合においても，上述したように，携帯電話１が一の画像データ仲介装置90を基準とする所定範囲内から所定範囲外に出た場合には，画像データの送信が一時的に中断され，一の画像データ仲介装置90を基準とする所定範囲内に再び入ることにより画像データの送信が再開される。また，複数の画像データ仲介装置90がある場合には，画像データの送信の中断前の画像データ仲介装置と画像データの送信の再開後の画像データ仲介装置とは異なるものでもよい。画像データの送信の中断前の画像データ仲介装置と画像データの送信の再開後の画像データ仲介装置とが異なる場合には，画像データの送信の中断前の一の画像データ仲介装置の所定範囲内から携帯電話が出ることにより画像データの送信が一時的に中断し，携帯電話１が他の画像データ仲介装置の所定範囲内に入ることにより未送信の画像データの送信処理が開始されることとなる。画像データは，上述したようにジョブＩＤおよびデータＩＤにより管理されているので，異なる画像データ仲介装置90から画像データ保管装置100に送信されても，画像データ保管装置100において，ジョブＩＤおよびデータＩＤごとに記録できるようになる。
【００９２】
図15は，他の実施例を示すもので，画像データ受信装置40とディジタル・カメラ付き携帯電話１との間の処理手順を示している。
【００９３】
上述した処理においては，転送開始要求などは非接触ＩＣディバイス・リーダ・ライタなどを利用し，画像データの送信は，赤外線通信を利用しているが，次に述べる実施例においては，画像データの送信については，赤外線を利用した送信または非接触通信ＩＣディバイスを利用した送信のうち，画像データを受信する画像データ受信装置40における受信速度に応じて赤外線を利用して画像データを送信するか非接触通信ＩＣを利用して画像データを送信するかを決定するものである。
【００９４】
画像データ受信装置40の非接触ＩＣディバイス・リーダ・ライタ45から電磁波が輻射され，ディジタル・カメラ付き携帯電話１の非接触通信ＩＣディバイス９によって，電磁波が検出される。すると，携帯電話１の非接触ＩＣ通信ディバイス９から画像データ受信装置40の非接触ＩＣディバイス・リーダ・ライタ45に転送速度要求が送信される（時刻ｔ61）。携帯電話１から送信された転送速度要求が画像データ受信装置40の非接触ＩＣディバイス・リーダ・ライタ45において受信されると（時刻ｔ62），転送速度応答が画像データ受信装置40の非接触ＩＣディバイス・リーダ・ライタ45から携帯電話１の非接触ＩＣ通信ディバイス９に送信される（時刻ｔ63）。この転送速度応答には，画像データの非接触ＩＣディバイス・リーダ・ライタ45を用いて画像データを受信する場合の速度と赤外線によって画像データを受信する場合の速度とが含まれている。
【００９５】
画像データ受信装置40の非接触ＩＣディバイス・リーダ・ライタ45から送信された転送速度応答が携帯電話１の非接触ＩＣ通信ディバイス９において受信されると（時刻ｔ64），転送速度応答にもとづいて，赤外線を用いた送信または非接触ＩＣ通信ディバイス９を用いた送信のうち画像データの送信が早く終了する方式を用いて画像データの送信が行われる。
【００９６】
上述した実施例においては，画像データの送信に赤外線通信などを用いているが赤外線通信以外に，ブルートゥースを利用した送信を用いてもよい。また，転送開始要求などは非接触ＩＣ通信ディバイスを利用して送信し，画像データは赤外線を利用して送信しているが，画像データ，転送開始要求などのいずれも同一の通信方式（たとえば，非接触ＩＣ通信ディバイスを利用した送信など）を利用してもよい。
【図面の簡単な説明】
【００９７】
【図１】画像通信システムの概要である。
【図２】ディジタル・カメラ付き携帯電話の電気的構成を示すブロック図である。
【図３】非接触ＩＣ通信ディバイスの電気的構成を示すブロック図である。
【図４】画像データ受信装置の電気的構成を示すブロック図である。
【図５】非接触ＩＣディバイス・リーダ・ライタの電気的構成を示すブロック図である。
【図６】画像通信システムの処理手順を示している。
【図７】画像通信システムにおいて送信されるデータの内容を示している。
【図８】画像データの送信状況を示している。
【図９】画像通信システムの処理手順を示している。
【図１０】画像通信システムにおいて送信されるデータの内容を示している。
【図１１】画像通信システムの概要である。
【図１２】画像データ仲介装置の電気的構成を示すブロック図である。
【図１３】画像データ保管装置の電気的構成を示すブロック図である。
【図１４】画像通信システムの処理手順を示している。
【図１５】画像通信システムの処理手順を示している。
【符号の説明】
【００９８】
１  ディジタル・カメラ付き携帯電話
４，31，41，66  ＣＰＵ
７，43  赤外線通信ディバイス
９  非接触ＩＣ通信ディバイス
14  メモリ・カード
40  画像データ受信装置
45  非接触ＩＣディバイス・リーダ・ライタ
90  画像データ仲介装置
100  画像データ保管装置
【図１】
2006042104.tif 000003
【図２】
2006042104.tif 000004
【図３】
2006042104.tif 000005
【図４】
2006042104.tif 000006
【図５】
2006042104.tif 000007
【図６】
2006042104.tif 000008
【図７】
2006042104.tif 000009
【図８】
2006042104.tif 000010
【図９】
2006042104.tif 000011
【図１０】
2006042104.tif 000012
【図１１】
2006042104.tif 000013
【図１２】
2006042104.tif 000014
【図１３】
2006042104.tif 000015
【図１４】
2006042104.tif 000016
【図１５】
2006042104.tif 000017